(57)【要約】【課題】  少なくとも任意のマークを示す印字文字パターンを、ホストコンピュータからの転送やＲＯＭの交換を行うことなく設定記憶し、その印字文字パターンのマークを印字することができるようにする。【解決手段】  ＬＣＤ４に表示される登録画面より、タッチ入力によってデザインされた通貨マークのパターン等の入力が受け付けられ、ＣＰＵ１１により、登録画面より受け付けられた通貨マークのパターン等が、フラッシュＲＯＭ８に通貨コードに対応させて記憶され、少なくとも通貨マークの印字指示を受け取ると、フラッシュＲＯＭ８からその通貨コードに対応する通貨マークのパターンが読み出され、サーマルヘッド７によって少なくとも通貨マークが印字されるようにした。【選択図】  図１
2006289915.tif 000002
【特許請求の範囲】
【請求項１】
少なくとも任意のマークを示す印字文字パターンの印字が可能な印字装置であって、
タッチ入力によりデザインされた前記印字文字パターンの入力を受け付ける入力受付手段と、
入力を受け付けた前記印字文字パターンを記憶する記憶手段と、
前記印字文字パターンを前記記憶手段に判別可能に記憶させ、少なくとも前記マークの印字指示を受け取ると、前記記憶手段から印字指示に対応する前記印字文字パターンを読み出して印字させる制御手段とを備える
ことを特徴とする印字装置。
【請求項２】
前記入力受付手段は、換算レートの入力を受け付け、
前記制御手段は、受け付けた前記換算レートを用い演算して印字させる
ことを特徴とする請求項１に記載の印字装置。
【請求項３】
前記制御手段は、前記記憶手段に、前記印字文字パターンとともに、少なくともその名称とマークとをコード毎に記憶させ、印字指示があると、前記記憶手段から対応するコードを読み出す
ことを特徴とする請求項１又は２に記載の印字装置。
【発明の詳細な説明】
【技術分野】
【０００１】
本発明は、少なくとも任意のマークを示す印字文字パターンを、ホストコンピュータからの転送やＲＯＭの交換を行うことなく設定記憶し、その印字文字パターンのマークを印字する印字装置に関する。
【背景技術】
【０００２】
従来より、スタンドアロン（ホストコンピュータと接続せずに利用する形態）のプリンタによって＄（ドル）等の通貨マークを印字する場合、プリンタ内部のＲＯＭに記憶されている印字すべき通貨マークのパターン等を読み出すことで行っている。
【０００３】
ところで、通貨マークは国毎に異なるものであり、通常では、使用頻度の高い通貨マークのパターン等がプリンタ内部のＲＯＭに記憶されていることが多い。
【０００４】
そのため、プリンタ内部のＲＯＭに記憶されていない通貨マークの印字が必要となった場合、当然のことながら印字を行うことができないことになる。
【０００５】
このような場合、特許文献１のように、プリンタ内部のＲＯＭに記憶されていない通貨マークのパターン等をホストコンピュータ側で作成してプリンタ側に転送し、その通貨マークのパターン等をプリンタ内部のメモリに記憶させた後、そのメモリから通貨マークのパターン等を読み出すことで、印字を行うことが可能となる。
【０００６】
また、各国の通貨マークのパターン等が記憶されているＲＯＭに交換し、そのＲＯＭから通貨マークのパターン等を選択することでも、プリンタ内部のＲＯＭに記憶されていない通貨マークの印字が可能となる。
【特許文献１】特開２０００−３４３７６７号公報
【発明の開示】
【発明が解決しようとする課題】
【０００７】
ところが、上述した特許文献１に示されるものでは、ホストコンピュータから通貨マークのパターン等をプリンタへ転送する場合、ホストコンピュータとプリンタとの間にケーブルを接続しなければならないばかりか、ケーブルが短い場合やホストコンピュータとプリンタとが離れているとき、プリンタをホストコンピュータの近くまで移動させなければならず、非常に手間がかかるという問題があった。
【０００８】
一方、各国の通貨マークのパターン等が記憶されているＲＯＭに交換する方法では、特許文献１のように、ケーブルの接続の手間やプリンタをホストコンピュータの近くまで移動させる手間が省けるが、ＲＯＭの交換作業が必要となるため、その交換作業に手間がかかるという問題があった。
【０００９】
しかも、交換用のＲＯＭには、多くのユーザが使用すると予測される通貨マークのパターン等が記憶されているため、そのＲＯＭに記憶されていない特殊マークの印字が必要となっても対応不可能となってしまう。
【００１０】
本発明は、このような状況に鑑みてなされたものであり、少なくとも任意のマークを示す印字文字パターンを、ホストコンピュータからの転送やＲＯＭの交換を行うことなく設定記憶し、その印字文字パターンのマークを印字することができる印字装置を提供することを目的とする。
【課題を解決するための手段】
【００１１】
本発明の印字装置は、少なくとも任意のマークを示す印字文字パターンの印字が可能な印字装置であって、タッチ入力によりデザインされた前記印字文字パターンの入力を受け付ける入力受付手段と、入力を受け付けた前記印字文字パターンを記憶する記憶手段と、前記印字文字パターンを前記記憶手段に判別可能に記憶させ、少なくとも前記マークの印字指示を受け取ると、前記記憶手段から印字指示に対応する前記印字文字パターンを読み出して印字させる制御手段とを備えることを特徴とする。
また、前記入力受付手段は、換算レートの入力を受け付け、前記制御手段は、受け付けた前記換算レートを用い演算して印字させるようにすることができる。
また、前記制御手段は、前記記憶手段に、前記印字文字パターンとともに、少なくともその名称とマークとをコード毎に記憶させ、印字指示があると、前記記憶手段から対応するコードを読み出すようにすることができる。
本発明の印字装置では、入力受付手段により、タッチ入力によりデザインされた印字文字パターンの入力が受け付けられると、制御手段により、印字文字パターンが記憶手段に判別可能に記憶され、少なくともマークの印字指示を受け取ると、記憶手段から印字指示に対応する印字文字パターンが読み出されて印字される。
【発明の効果】
【００１２】
本発明の印字装置によれば、入力受付手段により、タッチ入力によりデザインされた印字文字パターンの入力が受け付けられると、制御手段により、印字文字パターンが記憶手段に判別可能に記憶され、少なくともマークの印字指示を受け取ると、記憶手段から印字指示に対応する印字文字パターンが読み出されて印字されるようにしたので、少なくとも任意のマークを示す印字文字パターンを、ホストコンピュータからの転送やＲＯＭの交換を行うことなく設定記憶し、その印字文字パターンのマークを印字することができる。
【発明を実施するための最良の形態】
【００１３】
本実施形態では、入力受付手段により、タッチ入力によりデザインされた印字文字パターンの入力が受け付けられると、制御手段により、印字文字パターンが記憶手段に判別可能に記憶され、少なくともマークの印字指示を受け取ると、記憶手段から印字指示に対応する印字文字パターンが読み出されて印字されるようにし、少なくとも任意のマークを示す印字文字パターンを、ホストコンピュータからの転送やＲＯＭの交換を行うことなく設定記憶し、その印字文字パターンのマークが印字されるようにした。
【実施例】
【００１４】
以下、本発明の実施の形態について説明する。
図１は、本発明の印字装置の一実施形態に係る内部構成を示すブロック図、図２〜図９は、図１の印字装置における各種パターンの登録方法を説明するための図である。
【００１５】
図１に示す印字装置は、通信インタフェース１、ＬＥＤ２、操作部３、ＬＣＤ４、タッチパネル５、モータ６、サーマルヘッド７、フラッシュＲＯＭ８、ＲＡＭ９、カード１０、ＣＰＵ１１を備えている。
【００１６】
通信インタフェース１は、スキャナによって読み取られたバーコードデータ等を受け取ったり、ホストコンピュータからの登録すべきデータを受け取ったりする。受け取るデータとしては、ラベル印字フォーマット、店名、住所、電話等の店名テーブルや、任意のテーブルデータを記憶できるフリーテーブル等である。
【００１７】
なお、通信インタフェース１による通信方式は、シリアル通信、セントロニクス、無線通信等のいずれかを用いることができる。
【００１８】
操作部３は、印字装置の各種操作に関わる複数のキーで構成されている。ＬＣＤ４は、印字に関わる内容等を表示する。
【００１９】
タッチパネル５は、通貨マークや後述の地域通貨等の特殊マークを示す印字文字パターンである通貨印字用パターン等の設定記憶等の指示をタッチ操作によって受け付ける。なお、タッチパネル５は、ＬＣＤ４の表示面に組み込んでもよいし、組み込まなくてもよいが、本実施形態では、タッチパネル５がＬＣＤ４の表示面に組み込まれているものとし、ＬＣＤ４とタッチパネル５とで入力受付手段が構成されているものとする。
【００２０】
モータ６は、図示しないラベル等の印字媒体を搬送する搬送機構等に駆動力を与える。サーマルヘッド７は、ラベル等の印字媒体への印字を行う。
【００２１】
記憶手段としてのフラッシュＲＯＭ８は、タッチパネル５によるタッチ操作によって設定された通貨マークや地域通貨等の特殊マークを示す通貨印字用パターン等を記憶する。また、フラッシュＲＯＭ８は、その通貨印字用パターン等を記憶するために、後述の図８に示すような通貨テーブル８ａや地域通貨テーブル８ｂを有している。ＲＡＭ９は、印字すべき通貨マーク等の文字パターン等が展開される作業エリア等として用いられる。
【００２２】
カード１０は、印字装置の図示しないカードスロットに対して挿入可能とされるものであり、プログラム、フォント、印字フォーマット、グラフィック等の各種データを保持する。なお、カード１０から読み出された各種データは、フラッシュＲＯＭ８に記憶させることができる。
【００２３】
制御手段としてのＣＰＵ１１は、所定の制御プログラムに基づいて各部の動作を制御するとともに、後述のＬＣＤ表示用通貨パターン登録、通貨印字用パターン登録、換算レート登録等を実行し、ＬＣＤ４に表示される入力画面である、それぞれの登録画面で設定された各種通貨パターン等をフラッシュＲＯＭ８の後述する通貨テーブル８ａや地域通貨テーブル８ｂに記憶させる。
【００２４】
次に、印字装置における各種パターンの登録方法について説明する。
【００２５】
なお、以下に説明する表示用通貨パターン設定キー、印字用通貨パターン設定キー、換算レート設定キー、設定完了キーは、各種パターンの登録の際に、タッチパネル５が組み込まれたＬＣＤ４の表示面に表示され、タッチパネル５を押下（タッチ）することで、いずれかのキーが選択されるものとする。
【００２６】
まず、図２に示すように、表示用通貨パターン設定キーが押下（タッチ）されると（ステップＳ１）、ＣＰＵ１１によりＬＣＤ表示用通貨パターン登録機能が実行される（ステップＳ２）。ここで登録された表示用通貨パターンは、ＬＣＤ４の表示用とされるものである。ＬＣＤ表示用通貨パターン登録機能については、後述する。
【００２７】
また、印字用通貨パターン設定キーが押下（タッチ）されると（ステップＳ３）、ＣＰＵ１１により通貨印字用パターン登録機能が実行される（ステップＳ４）。ここでの印字用通貨パターンは、ラベル等の印字媒体への印字用とされるものである。通貨印字用パターン登録機能については、後述する。
【００２８】
また、換算レート設定キーが押下（タッチ）されると（ステップＳ５）、ＣＰＵ１１により換算レート登録機能が実行される（ステップＳ６）。ここでの換算レートは、たとえば金額の換算用とされるものである。換算レート登録機能については、後述する。
【００２９】
そして、設定完了キーが押下（タッチ）されると（ステップＳ７）、登録終了となる。
【００３０】
なお、（ステップＳ１）での表示用通貨パターン設定キーの押下（タッチ）、（ステップＳ３）での印字用通貨パターン設定キーの押下（タッチ）、（ステップＳ５）での換算レート設定キーの押下（タッチ）にあっては、それぞれの手順が前後してもよいことは勿論である。
【００３１】
また、表示用通貨パターン設定、印字用通貨パターン設定、換算レート設定等が行われる際には、ＬＣＤ４にそれぞれの設定手順を選択させるガイダンスメッセージが表示されるようにしてもよい。
【００３２】
次に、図２の（ステップＳ２）におけるＬＣＤ表示用通貨パターン登録機能について説明する。
【００３３】
まず、図３に示すように、表示用通貨パターン設定キーが押下（タッチ）されてＬＣＤ表示用通貨パターン登録機能が実行されると、ＬＣＤ４にドットマトリクス登録画面が表示される（ステップＳ８）。
【００３４】
このドットマトリクス登録画面には、たとえば図４に示すように、ドットマトリクス表示面４ａ、Ｅｎｔｅｒキー４ｂ、Ｂａｃｋキー４ｃが表示されている。
【００３５】
ここで、ドットマトリクス表示面４ａでは、いずれかのドットを指又は入力ペン等により押下（タッチ）すると（ステップＳ９）、ドットマトリクスが白色の場合は黒に、ドットマトリクスが黒色の場合は白色に表示色が変化する（ステップＳ１０）。
【００３６】
このようなドットマトリクス表示面４ａでの押下（タッチ）により、たとえば図示のように＄（ドル）の通貨マークの表示用通貨パターンを作成することができる。また、Ｅｎｔｅｒキー４ｂは、作成した表示用通貨パターンを登録する際に押下（タッチ）される設定完了キーあり、Ｅｎｔｅｒキー４ｂが押下（タッチ）されると（ステップＳ１１）、登録終了となる。また、Ｂａｃｋキー４ｃを押下（タッチ）した場合には、前の画面に戻ることができる。
ここで、
【００３７】
【表１】
2006289915.tif 000003
等のように、＄（ドル）以外の他の国の特殊記号による通貨マークを作成する場合には、上記同様に、ドットマトリクス表示面４ａで、いずれかのドットを指又は入力ペン等により押下（タッチ）し、それぞれの特殊記号の通貨マークの表示用通貨パターンを作成すればよい。
【００３８】
次に、図２の（ステップＳ４）での通貨印字用パターン登録機能について説明する。
【００３９】
まず、図５に示すように、登録するフォントを選択する（ステップＳ１２）。この場合、たとえばタッチパネル５が組み込まれたＬＣＤ４の表示面にフォント選択画面を呼び出すキーを表示させ、そのキーを押下（タッチ）することで、ＬＣＤ４にたとえば図６（ａ）に示すようなフォント選択画面４ｄを表示させることができる。
【００４０】
ここで、ＷＢ，ＷＬ，ＯＣＲ−Ｂ，ＸＵ，ＸＳ，ＸＭ，ＸＢ，ＸＬ，ＯＣＲ−Ａ，ＰＲＩＣＥ，ＰＯＰ１，ＰＯＰ２，ＰＯＰ３，Ｄｏｗｎｌｏａｄ  Ｆｏｎｔ，ＣＧ  Ｔｉｍｅｓ，ＣＧ  Ｔｒｉｕｍｖｉｒａｔｅは、フォント名である。
【００４１】
また、それぞれのフォント名に対応させたフォントサイズ（横ドット×縦ドット）は、ＷＢ＝（１８×３０），ＷＬ＝（２８×５２），ＯＣＲ−Ｂ＝（３０×３６），ＸＵ＝（５×９），ＸＳ＝（１７×１７），ＸＭ＝（２４×２４），ＸＢ＝（４８×４８），ＸＬ＝（４８×４８），ＯＣＲ−Ａ＝（２２×３３），ＰＲＩＣＥ＝（１６×２４），ＰＯＰ１＝（２８×４８），ＰＯＰ２＝（４８×６８），ＰＯＰ３＝（２６×５６）となっている。
【００４２】
また、図６（ａ）に示す画面には、▲キー４ｅと▼キー４ｆが表示されており、▲キー４ｅ又は▼キー４ｆを押下（タッチ）することで、画面が上下にスクロールされ、他のフォントが表示される。
【００４３】
また、図６（ａ）に示す画面には、Ｂａｃｋキー４ｇが表示されており、そのＢａｃｋキー４ｇを押下（タッチ）することで、前の画面に戻ることができる。
【００４４】
ここで、図６（ａ）に示すフォント選択画面４ｄからたとえばＸＳ（１７×１７）を押下（タッチ）すると、ＬＣＤ４に図６（ｂ）に示すように、印字フォントサイズに合わせてドットマトリクス登録画面４ｈが表示される（ステップＳ１３）。なお、ドットマトリクス登録画面４ｈに表示されているパターンは、＄（ドル）に縦線を追加した特殊マークの一例であり、上述した手順により作成されたものであって、フォントを選択する際に、設定記憶されたものから呼び出すことができるようになっている。
【００４５】
ドットマトリクス登録画面４ｈでは、上記同様に、いずれかのドットを指又は入力ペン等により押下（タッチ）すると（ステップＳ１４）、ドットマトリクスが白色の場合は黒に、ドットマトリクスが黒色の場合は白色に表示色が変化する（ステップＳ１５）。
【００４６】
そして、ドットマトリクス登録画面４ｈで図６（ｂ）に示すような特殊記号による通貨マークの通貨印字用パターンを作成した後、設定完了キーであるＥｎｔｅｒキー４ｉを押下（タッチ）すると（ステップＳ１６）、登録終了となる。ここで、登録される通貨印字用パターンには、選択されたフォントの情報が含まれることになる。また、Ｂａｃｋキー４ｊを押下（タッチ）した場合には、前の画面に戻ることができる。
【００４７】
次に、図２の（ステップＳ６）での換算レート登録機能について説明する。
【００４８】
まず、図７に示すように、換算レート入力処理を行う（ステップＳ１７）。この場合、たとえばタッチパネル５が組み込まれたＬＣＤ４の表示面に換算レート入力画面を呼び出す換算レート設定キーを表示させ、そのキーを押下（タッチ）することで、ＬＣＤ４に「＄」＝「      円」、「£」＝「      円」といったような入力を促すような内容を表示させる。
【００４９】
そして、「      円」の部分に、たとえば「＄」＝「１００円」、「£」＝「２１０円」といったような数字を、図１の操作部３のテンキー等により入力すればよい。このような換算レートを設定することで、ＣＰＵ１１による所定の演算により、たとえば１０００円の商品に対するラベル等への印字の際に、＄１０．００とした印字が行われる。逆に、＄１０．００の商品に対するラベル等への印字の際に、１０００円とした印字が行われる。当然、＄１０．００と１０００円を同時に印字することもできる。
【００５０】
以上のように、図２の（ステップＳ２）でのＬＣＤ表示用通貨パターン登録、（ステップＳ４）での通貨印字用パターン登録、（ステップＳ６）での換算レート登録が終了し、（ステップＳ７）での設定完了キーが押下（タッチ）されると、各通貨マークのＬＣＤ表示用通貨パターン、通貨印字用パターン、換算レート等が、図８（ａ）に示すようなフラッシュＲＯＭ８の通貨テーブル８ａに通貨コード毎に記憶される。
【００５１】
この場合、（ステップＳ７）での設定完了キーが押下（タッチ）されるとき、たとえば図８（ａ）の通貨コードを選択できるようにし、選択した通貨コードに対応させて各通貨マークのＬＣＤ表示用通貨パターン、通貨印字用パターン、換算レート等が記憶されるようにすればよい。
【００５２】
これにより、通貨コード毎に、上述した手順で作成された通貨マーク、表示用通貨パターン、通貨印字パターン、換算レート等が記憶されるため、複数の通貨マークを作成しても作成した通貨マークの管理を容易に行うことができる。
【００５３】
なお、図８（ａ）の通貨マークの名（名称）にあっては、たとえば図１の操作部３に文字入力キーを設けておき、その文字入力キーによって入力するか、あるいはＬＣＤ４に平仮名表やカタカナ表を表示させて必要な文字を押下（タッチ）によって選択できるようにしてもよい。
【００５４】
そして、印字を行う場合、図８（ａ）の通貨テーブル８ａのたとえば通貨コード（１）又は（３）を指定することで、ＣＰＵ１１により各々の通貨コード（１）又は（３）に対応するドル又はポンドの通貨マークの通貨印字パターン、換算レート等が読み出され、サーマルヘッド７によりラベル等の印字媒体に印字される。その際、指定された通貨コード（１）又は（３）の表示用通貨パターンが読み出されてＬＣＤ４により印字すべき通貨マークが表示されるようにしてもよい。
【００５５】
なお、いずれかの通貨マークをラベル等の印字媒体に印字させる際は、ＬＣＤ４に印字の設定手順を選択させるガイダンスメッセージが表示されるようにしてもよい。
【００５６】
このように本実施形態では、ＬＣＤ４に表示される登録画面より、タッチ入力によってデザインされた通貨マークのパターン等の入力が受け付けられ、ＣＰＵ１１により、登録画面より受け付けられた通貨マークのパターン等が、フラッシュＲＯＭ８に通貨コードに対応させて記憶され、少なくとも通貨マークの印字指示を受け取ると、フラッシュＲＯＭ８からその通貨コードに対応する通貨マークのパターンが読み出され、サーマルヘッド７によって少なくとも通貨マークが印字されるようにしたので、少なくとも任意のマークを示す印字文字パターンを、ホストコンピュータからの転送やＲＯＭの交換を行うことなく設定記憶し、その印字文字パターンのマークを印字することができる。
【００５７】
なお、本実施形態では、それぞれの国毎の＄（ドル）等の通貨マークの各種パターンの作成について説明しているが、このような例に限らず、ＩＳＯ  ４２１７  で定められている、ＪＰＹ（Japanese Yen）、ＵＳＤ（US Dollar）、ＣＡＤ（Canadian Dollar）、ＫＲＷ（South-Korean Won）、ＥＵＲ（Euro）等のアルファベット文字の略語による通貨マークの各種パターンを作成することも可能である。
【００５８】
また、これらのアルファベット文字の略語による通貨マークの各種パターン等は、図８（ａ）に示した通貨テーブル８ａと同様なテーブルを設けることで、記憶させることができる。
【００５９】
また、地域のグループ等がそれぞれに名前や表現の方法を決めて独自に発行し、サービスやモノの価値を自由に決めて交換する際に使用される地域通貨の特殊マークの各種パターンを作成することも可能である。
【００６０】
すなわち、このような地域通貨は、ガル（苫小牧市付近）、ピーナッツ（千葉県）、ＣＯＭＯ（東京都多摩地区）、ＹＵ（諏訪郡原村）、おうみ（草津市）、ＦＵＫＵ（大分県中津市周辺）、ＹＵＦＵ（大分県湯布院町）、ドンガ（鹿児島県種子島）等ように文字や略語等による表記がなされるものであるが、このような文字や略語等であっても上述した手順により、容易にそれぞれの特殊マークの各種パターンを作成して印字することが可能である。
【００６１】
なお、作成した地域通貨の特殊マークにあっては、図９に示すようなフラッシュＲＯＭ８の地域通貨テーブル８ｂに地域通貨コード（１），（２），（３）・・・毎に記憶させるようにすることができる。この場合、上記同様に、たとえば設定完了キーが押下（タッチ）されるとき、地域通貨テーブル８ｂの地域通貨コード（１），（２），（３）・・・のいずれかが選択されるようにすればよい。
【００６２】
また、地域通貨テーブル８ｂの地域通貨の名（名称）にあっては、上記同様に、たとえば図１の操作部３に文字入力キーを設けておき、その文字入力キーによって入力するか、あるいはＬＣＤ４に平仮名表やカタカナ表を表示させて必要な文字を押下（タッチ）によって選択できるようにしてもよい。
【００６３】
また、世界各国の限定した地域でしか通用しない様々な地域通貨の各種パターンを作成することも可能であり、この場合も、図９に示す地域通貨テーブル８ｂと同様なテーブルを設けることで、記憶させることができる。
【００６４】
さらには、「＊」、「＃」、「♪」等の記号による特殊マークの各種パターンを作成することも可能であり、この場合も、図９に示す地域通貨テーブル８ｂと同様なテーブルを設けることで、記憶させることができる。
【図面の簡単な説明】
【００６５】
【図１】本発明の印字装置の一実施形態に係る内部構成を示すブロック図である。
【図２】図１の印字装置における各種パターンの登録を説明するためのフローチャートである。
【図３】図２の表示用通貨パターン登録を説明するためのフローチャートである。
【図４】図２の表示用通貨パターン登録におけるドットマトリクス登録画面を示す図である。
【図５】図２の通貨印字用パターン登録を説明するためのフローチャートである。
【図６】図２の通貨印字用パターン登録におけるフォント選択画面を示す図である。
【図７】図２の換算レート登録を説明するためのフローチャートである。
【図８】図１のフラッシュＲＯＭの通貨テーブルを説明するための図である。
【図９】図１のフラッシュＲＯＭの地域通貨テーブルを説明するための図である。
【符号の説明】
【００６６】
３  操作部
４  ＬＣＤ（入力受付手段）
４ａ  ドットマトリクス表示面
４ｄ  フォント選択画面
４ｈ  ドットマトリクス登録画面
５  タッチパネル（入力受付手段）
７  サーマルヘッド
８  フラッシュＲＯＭ（記憶手段）
８ａ  通貨テーブル
８ｂ  地域通貨テーブル
１１  ＣＰＵ（制御手段）
【図１】
2006289915.tif 000004
【図２】
2006289915.tif 000005
【図３】
2006289915.tif 000006
【図４】
2006289915.tif 000007
【図５】
2006289915.tif 000008
【図６】
2006289915.tif 000009
【図７】
2006289915.tif 000010
【図８】
2006289915.tif 000011
【図９】
2006289915.tif 000012